(57)【要約】      （修正有）【課題】通穴体と周鍔体とのスポット溶接による固着が外れ易いという不都合を解決する通穴部材の提供。【解決手段】周鍔体３は周鍔部３ａ及び側壁部３ｂからなり、通穴体２の側壁部２ａを周鍔体の側壁部に嵌合すると共に通穴体の側壁部と周鍔体の側壁部とを同時湾曲圧着成形により固着する。【効果】製作が容易となり、量産が容易となって製作コストを低減することができ、耐久性を高めることができる。【選択図】図１
2006083588.tif 000002
【特許請求の範囲】
【請求項１】
流し排水口用ゴミ受け、笊、茶漉し等の通穴体及び周鍔体からなる通穴部材であって、上記周鍔体は周鍔部及び側壁部からなり、該通穴体の側壁部を上記周鍔体の側壁部に嵌合すると共に該通穴体の側壁部と該周鍔体の側壁部とを同時湾曲圧着成形により固着してなることを特徴とする通穴部材。
【請求項２】
上記湾曲部は断面略Ｓ字状にして環状に形成されていることを特徴とする請求項１記載の通穴部材。
【請求項３】
上記通穴体の側壁部を上記周鍔体の側壁部に外嵌合し、該通穴体の側壁部の外周面にリング板を外嵌合し、該リング板と該通穴体の側壁部と該周鍔体の側壁部とを同時湾曲圧着成形により固着してなることを特徴とする請求項１又は２記載の通穴部材。
【請求項４】
上記同時湾曲圧着成形は、周側面に環状凸部をもつ成形凸ロール及び周側面に環状凹部をもつ成形凹ロールによる回転ロール成形であることを特徴とする請求項１〜３のいずれか１項に記載の通穴部材。
【請求項５】
上記通穴体は複数個の通穴をもつ穴開板からなることを特徴とする請求項１〜４のいずれか１項に記載の通穴部材。
【請求項６】
上記通穴体は複数個の通穴をもつ網状体からなることを特徴とする請求項１〜４のいずれか１項に記載の通穴部材。
【発明の詳細な説明】
【技術分野】
【０００１】
本発明は例えば、一般家庭で用いられる流し排水口用ゴミ受け、笊、茶漉し、蒸し器等の通穴体及び周鍔体からなる通穴部材に関するものである。
【背景技術】
【０００２】
従来、この種の通穴部材として、複数個の通穴をもつ穴開板や複数個の通穴をもつ網状体からなる通穴体の上部周縁部に周鍔体を取り付けてなる構造のものが知られている。
【特許文献１】特開平５−２２２７５２号公報
【特許文献２】特開平１０−３３３９８号公報
【特許文献３】特開２００２−３０６３５１
【発明の開示】
【発明が解決しようとする課題】
【０００３】
しかしながら上記従来構造の場合、通穴体と周鍔体とをスポット溶接により固着した構造であり、このため、外れ易いことがあるという不都合を有している。
【課題を解決するための手段】
【０００４】
本発明はこれらの不都合を解決することを目的とするもので、本発明のうちで、請求項１記載の発明は、流し排水口用ゴミ受け、笊、茶漉し等の通穴体及び周鍔体からなる通穴部材であって、上記周鍔体は周鍔部及び側壁部からなり、該通穴体の側壁部を上記周鍔体の側壁部に嵌合すると共に該通穴体の側壁部と該周鍔体の側壁部とを同時湾曲圧着成形により固着してなることを特徴とする通穴部材にある。
【０００５】
又、請求項２記載の発明は、上記湾曲部は断面略Ｓ字状にして環状に形成されていることを特徴とするものである。
【０００６】
又、請求項３記載の発明は、上記通穴体の側壁部を上記周鍔体の側壁部に外嵌合し、該通穴体の側壁部の外周面にリング板を外嵌合し、該リング板と該通穴体の側壁部と該周鍔体の側壁部とを同時湾曲圧着成形により固着してなることを特徴とするものである。
【０００７】
又、請求項４記載の発明は、上記同時湾曲圧着成形は、周側面に環状凸部をもつ成形凸ロール及び周側面に環状凹部をもつ成形凹ロールによる回転ロール成形であることを特徴とするものであり、又、請求項５記載の発明は、上記通穴体は複数個の通穴をもつ穴開板からなることを特徴とするものであり、又、請求項６記載の発明は、上記通穴体は複数個の通穴をもつ網状体からなることを特徴とするものである。
【発明の効果】
【０００８】
本発明は上述の如く、請求項１記載の発明にあっては、上記周鍔体は周鍔部及び側壁部からなり、通穴体の側壁部を上記周鍔体の側壁部に嵌合すると共に通穴体の側壁部と周鍔体の側壁部とを固着してなるから、上記通穴体と周鍔体との接合部位が周鍔体の側部位置となり、このため、例えば、流し排水口に配置されるゴミ受けに適用した場合にあっては、排水及び汚物が周鍔体の周鍔部から側壁部を介して通穴体へと円滑に流れることになり、又、茶漉しに適用した場合にあっては、お湯が周鍔体の周鍔部から側壁部を介して通穴体へと円滑に流れることになり、更に、通穴体の側壁部を上記周鍔体の側壁部に嵌合すると共に通穴体の側壁部と周鍔体の側壁部とを同時湾曲圧着成形により固着してなるから、製作が容易となり、量産が容易となって製作コストを低減することができ、しかも、同時湾曲圧着成形による環状の湾曲部の存在により通穴体と周鍔体との離脱を良好に防止することができ、耐久性を高めることができる。
【０００９】
又、請求項２記載の発明は、上記湾曲部は断面略Ｓ字状にして環状に形成されているから、通穴体と周鍔体との離脱を確実に防止することができ、耐久性を高めることができる。
【００１０】
又、請求項３記載の発明にあっては、上記周鍔体は周鍔部及び側壁部からなり、通穴体の側壁部を上記周鍔体の側壁部に嵌合すると共に通穴体の側壁部と周鍔体の側壁部とを固着してなるから、上記通穴体と周鍔体との接合部位が周鍔体の側部位置となり、このため、例えば、流し排水口に配置されるゴミ受けに適用した場合にあっては、排水及び汚物が周鍔体の周鍔部から側壁部を介して通穴体へと円滑に流れることになり、又、茶漉しに適用した場合にあっては、お湯が周鍔体の周鍔部から側壁部を介して通穴体へと円滑に流れることになり、更に、通穴体の側壁部を上記周鍔体の側壁部に嵌合すると共に通穴体の側壁部と周鍔体の側壁部とを同時湾曲圧着成形により固着してなるから、製作が容易となり、量産が容易となって製作コストを低減することができ、しかも、同時湾曲圧着成形による環状の湾曲部の存在により通穴体と周鍔体との離脱を良好に防止することができ、耐久性を高めることができる。上記第一形態例と同様な作用効果を得ることができ、更に、リング板の存在により通穴体と周鍔体とを強固に固着することができる。
【００１１】
又、請求項４記載の発明にあっては、上記同時湾曲圧着成形は、周側面に環状凸部をもつ成形凸ロール及び周側面に環状凹部をもつ成形凹ロールによる回転ロール成形であるから、通穴体と周鍔体との固着を一層容易に行うことができ、又、請求項５記載の発明にあっては、上記通穴体は複数個の通穴をもつ穴開板からなるので、流し排水口用ゴミ受け、蒸し器等に適用することができ、又、請求項６記載の発明にあっては、上記通穴体は複数個の通穴をもつ網状体からなるので、茶漉し、笊等に適用することができる。
【発明を実施するための最良の形態】
【００１２】
図１乃至図８は本発明の実施の形態例を示し、図１乃至図４は本発明の実施の第一形態例、図５は本発明の実施の第二形態例、図６は本発明の実施の第三形態例、図７、図８は本発明の実施の第四形態例である。
【００１３】
図１乃至図４の本発明の実施の第一形態例において、１は通穴部材であって、この場合、流し排水口に配置されるゴミ受けであって、複数個の通穴Ｆ1をもつ穴開板Ｆからなるステンレス製の容器状の通穴体２及びステンレス製の周鍔体３からなり、この周鍔体３は周鍔部３ａ及び側壁部３ｂからなり、側壁部３ｂに成型後に取手杆Ｈが取り外し自在に挿通架設され、この通穴体２の側壁部２ａを上記周鍔体３の側壁部３ｂに内嵌合すると共に通穴体２の側壁部２ａと周鍔体３の側壁部３ｂとを同時湾曲圧着成形４により固着して構成している。
【００１４】
この場合、図４の如く、上記同時湾曲圧着成形４は、周側面に環状凸部５ａをもつ成形凸ロール５及び周側面に環状凹部６ａをもつ成形凹ロール６を相互に異方向に回転させると共に通穴部材１を回転させて通穴体２の側壁部２ａ及び周鍔体３の側壁部３ｂを挟圧して断面略Ｓ字状にして環状の湾曲部Ｍを形成する回転ロール成形が用いられている。
【００１５】
この実施の第一形態例においては、上記周鍔体３は周鍔部３ａ及び側壁部３ｂからなり、通穴体２の側壁部２ａを上記周鍔体３の側壁部３ｂに嵌合すると共に通穴体２の側壁部２ａと周鍔体３の側壁部３ｂとを固着してなるから、上記通穴体２と周鍔体３との接合部位が周鍔体３の側部位置となり、このため、例えば、流し排水口に配置されるゴミ受けに適用した場合にあっては、排水及び汚物が周鍔体３の周鍔部３ａから側壁部３ｂを介して通穴体２へと円滑に流れることになり、又、茶漉しに適用した場合にあっては、お湯が周鍔体３の周鍔部３ａから側壁部３ｂを介して通穴体２へと円滑に流れることになり、更に、通穴体２の側壁部２ａを上記周鍔体３の側壁部３ｂに嵌合すると共に通穴体２の側壁部２ａと周鍔体３の側壁部３ｂとを同時湾曲圧着成形４により固着してなるから、製作が容易となり、量産が容易となって製作コストを低減することができ、しかも、同時湾曲圧着成形４による環状の湾曲部Ｍの存在により通穴体２と周鍔体３との離脱を良好に防止することができ、耐久性を高めることができる。
【００１６】
この場合、上記湾曲部Ｍは断面略Ｓ字状にして環状に形成されているから、通穴体２と周鍔体３との離脱を確実に防止することができ、耐久性を高めることができる。
【００１７】
又、この場合、上記同時湾曲圧着成形４は、周側面に環状凸部５ａをもつ成形凸ロール５及び周側面に環状凹部６ａをもつ成形凹ロール６による回転ロール成形であるから、通穴体２と周鍔体３との固着を一層容易に行うことができ、又、この場合、上記通穴体２は複数個の通穴Ｆ1をもつ穴開板Ｆからなるので、流し排水口用ゴミ受けに適用することができる。
【００１８】
図５の第二形態例は別例構造を示し、この場合、通穴体２の側壁部２ａを上記周鍔体３の側壁部３ｂに外嵌合すると共に通穴体２の側壁部２ａと周鍔体３の側壁部３ｂとを同時湾曲圧着成形４により固着して構成している。
【００１９】
図６の第三形態例は別例構造を示し、この場合、通穴体２の側壁部２ａを高さの低い周鍔体３の側壁部３ｂに外嵌合すると共に通穴体２の側壁部２ａと周鍔体３の側壁部３ｂとを同時湾曲圧着成形４により固着して構成している。
【００２０】
この第二、第三形態例にあっては、上記第一形態例と同様な作用効果を得ることができる。
【００２１】
図７、図８の第四形態例は別例構造を示し、この場合、複数個の通穴Ｂ1をもつ網状体Ｂからなる通穴体２の側壁部２ａを上記周鍔体３の側壁部３ｂに外嵌合し、通穴体２の側壁部２ａの外周面にリング板Ｎを外嵌合し、リング板Ｎと通穴体２の側壁部２ａと周鍔体３の側壁部３ｂとを同時湾曲圧着成形４により固着して構成している。
【００２２】
この第四形態例にあっては、上記第一形態例と同様な作用効果を得ることができると共にリング板Ｎにより通穴体２と周鍔体３とを強固に固着することができる。
【００２３】
又、この場合、上記通穴体２は複数個の通穴Ｂ1をもつ網状体Ｂからなるので、茶漉し、笊等に適用することができる。
【００２４】
尚、本発明は上記実施の形態例に限られるものではなく、通穴体２、周鍔体３の構造、形態、材質等は適宜変更して設計されるものである。
【００２５】
以上、所期の目的を充分達成することができる。
【図面の簡単な説明】
【００２６】
【図１】本発明の実施の第一形態例の全体側面図である。
【図２】本発明の実施の第一形態例の全体平面図である。
【図３】本発明の実施の第一形態例の部分拡大断面図である。
【図４】本発明の実施の第一形態例の製造工程説明図
【図５】本発明の実施の第二形態例の部分拡大断面図である。
【図６】本発明の実施の第三形態例の部分拡大断面図である。
【図７】本発明の実施の第四形態例の全体側面図である。
【図８】本発明の実施の第四形態例の部分拡大断面図である。
【符号の説明】
【００２７】
Ｆ    穴開板
Ｍ    湾曲部
Ｂ    網状体
１    通穴部材
２    通穴体
２ａ    側壁部
３    周鍔体
３ａ    周鍔部
３ｂ    側壁部
４    同時湾曲圧着成形
【図１】
2006083588.tif 000003
【図２】
2006083588.tif 000004
【図３】
2006083588.tif 000005
【図４】
2006083588.tif 000006
【図５】
2006083588.tif 000007
【図６】
2006083588.tif 000008
【図７】
2006083588.tif 000009
【図８】
2006083588.tif 000010